(57)【要約】  【課題】  簡単な構成で、機器の解体時に作業の熟練を必要としないようにし、また手順書等を逐一見ることなく作業できるようにして、リサイクルの効率化を図った画像形成装置を提供する。  【解決手段】  図示しない給紙カセット内側面より突設するフックが、用紙保温ヒータ１の係合部１ａとそれぞれ係合し、更に長孔１ｂを通して用紙保温ヒータ１がビス止めされ、給紙カセットに固定されている。この取付構造が、用紙保温ヒータ１表面中央に刻印されており、それぞれ「ＨＯＯＫ」及び「ＳＣＲＥＷ」の位置として図示され、また、「ＳＬＩＤＥ」の方向が矢印で示されている。以上のような刻印表示１ｅにより、用紙保温ヒータ１を給紙カセットから取り外す際は、ビス止めを解除して矢印方向にスライドさせればよいことが分かる。【選択図】      図１
2005208450.tif 000002
【特許請求の範囲】
【請求項１】
像担持体上に形成された像を用紙に転写して記録を行う画像形成装置であって、
前記画像形成装置において使用されリサイクルされる所定の部品の、取り付け手段或いは取り外し手段についての情報を、前記部品の所定の箇所に表示して成ることを特徴とする画像形成装置。
【請求項２】
前記部品が再使用部品か再資源化部品かを表示して成ることを特徴とする請求項１に記載の画像形成装置。
【請求項３】
前記取り付け手段或いは取り外し手段についての情報は、刻印或いは印刷或いはシール貼付によりイラスト表示されることを特徴とする請求項１又は請求項２に記載の画像形成装置。
【請求項４】
前記取り付け手段或いは取り外し手段についての情報が表示される前記部品の所定の箇所は、取付状態においてその部品の最もよく見える面であることを特徴とする請求項１〜請求項３のいずれかに記載の画像形成装置。
【発明の詳細な説明】
【技術分野】
【０００１】
本発明は、複写機，プリンタ，ファクシミリ等の画像形成装置における、リサイクルの効率化技術に関するものである。
【背景技術】
【０００２】
近年、このような機器類のリサイクルは、重要な課題となってきている。従来は、機器をリサイクルする際、解体するために手順書を用いたり、機器を破壊した後に部品単位に分解したりしていた。なお、このようなリサイクルにおいて、前と同じ機能を持つ部品として次の機器に組み込まれる部品をリユース部品（再使用部品）と呼び、他の部品や物の材料やエネルギーとして資源化される部品をリサイクル部品（再資源化部品）と呼ぶ。
【０００３】
ところが、このようなリユース部品及びリサイクル部品を分別するため、きちんと解体するには機器毎に詳しい手順書が必要であり、またこのような手順書を用いたとしても、作業に習熟する必要があり、習熟するまでには時間がかかっていた。また、機器を破壊するに至っては、破壊された部品のリユースは不可能となっていた。
【０００４】
そこで、リサイクルの重要な工程である機器の解体工程において、部品の機器における位置を探索するのに時間がかかり、リサイクルの障害になるといった課題を解決する、機器の解体方法，表示装置，画像形成装置及び部品検索システムが開示されている（例えば、特許文献１参照。）。
【０００５】
具体的には、部品を特定する情報に基づいて、機器における部品の位置を表示する表示装置に前記情報を入力し、前記表示装置に表示させることにより、前記部品の位置の情報を取得する段階及び、取得された前記部品の位置の情報に基づいて、前記部品を取り出す段階、を有する構成としている。具体的には、部品番号等の部品の情報を入力することにより、三次元ＣＡＤに部品の位置を表示するようにしている。
【特許文献１】特開２００２−４９１９９号公報
【発明の開示】
【発明が解決しようとする課題】
【０００６】
しかしながら、上記特許文献１に記載のような構成では、何よりもシステム構成が大掛かりであり、またリサイクルされる部品のデータベースを構築しなければならず、その運用管理が大変となる。本発明は、このような問題点に鑑み、簡単な構成で、機器の解体時に作業の熟練を必要としないようにし、また手順書等を逐一見ることなく作業できるようにして、リサイクルの効率化を図った画像形成装置を提供することを目的とする。
【課題を解決するための手段】
【０００７】
上記目的を達成するために、本発明では、像担持体上に形成された像を用紙に転写して記録を行う画像形成装置であって、前記画像形成装置において使用されリサイクルされる所定の部品の、取り付け手段或いは取り外し手段についての情報を、前記部品の所定の箇所に表示して成ることを特徴とする。
【０００８】
また、前記部品が再使用部品か再資源化部品かを表示して成ることを特徴とする。
【０００９】
また、前記取り付け手段或いは取り外し手段についての情報は、刻印或いは印刷或いはシール貼付によりイラスト表示されることを特徴とする。
【００１０】
また、前記取り付け手段或いは取り外し手段についての情報が表示される前記部品の所定の箇所は、取付状態においてその部品の最もよく見える面であることを特徴とする。
【発明の効果】
【００１１】
本発明によれば、簡単な構成で、機器の解体時に作業の熟練を必要としないようにし、また手順書等を逐一見ることなく作業できるようにして、リサイクルの効率化を図った画像形成装置を提供することができる。
【００１２】
具体的には、画像形成装置において使用されリサイクルされる所定の部品の、取り付け手段或いは取り外し手段についての情報を、部品の所定の箇所に表示することにより、作業者はその部品を取り外すために、わざわざ手順書を見る必要はなくなり、また作業に熟練する必要もなくなるので、リサイクルの効率が上がる。
【００１３】
また、リサイクルされる部品が再使用部品か再資源化部品かを表示することにより、特に再使用部品については、取り外しの際に破壊することがなくなるので、再使用の効率が上がる。
【００１４】
また、取り付け手段或いは取り外し手段についての情報が、刻印或いは印刷或いはシール貼付によりイラスト表示されることにより、部品の量産性を損なうことなく一目で理解される表示を行うことができる。
【００１５】
また、取り付け手段或いは取り外し手段についての情報が表示される部品の所定の箇所が、取付状態においてその部品の最もよく見える面であることにより、作業者が表示を見やすくなり、作業効率が上がる。
【発明を実施するための最良の形態】
【００１６】
以下、本発明の実施の形態について、図面を参照しながら説明する。ここでは複写機を例に挙げて説明する。本発明では、リサイクルされる所定の部品に対して、ビス止め，爪による係合といったその部品の装置に対する取り付け手段や取り外し手段を示した、文字やイラスト等の情報を、取付状態においてその部品の最もよく見える面に刻印することにより、手順書等を見ることなく取り外し可能とし、機器の解体を容易にする構成としている。
【実施例１】
【００１７】
図１は、本発明が適用される画像形成装置の実施例１に係る部品を示す斜視図である。同図は給紙カセット（不図示）の用紙保温ヒータを示しており、給紙カセット内の用紙が湿気を帯びないように使用されるものである。同図に示すように、用紙保温ヒータ１は略平板状をした樹脂製（例えばＡＢＳ樹脂）の外殻を有しており、セラミックヒータを内蔵している。また、用紙保温ヒータ１の二つの長辺側を含む三側面より係合部１ａが突設しており、残りの一側面側には長辺方向に沿って延在する長孔１ｂが開けられている。
【００１８】
さらに、長孔１ｂとは反対側の角部の凹部１ｃからは、前記セラミックヒータに電力を供給する電源コード１ｄが延びている。この用紙保温ヒータ１は、前記給紙カセットの内側面に取り付けられている。具体的には、給紙カセット内側面より突設する図示しないフックが、用紙保温ヒータ１の係合部１ａとそれぞれ係合し、更に長孔１ｂを通して用紙保温ヒータ１がビス止めされ、給紙カセットに固定されている。
【００１９】
この取付構造が、用紙保温ヒータ１表面中央に刻印されており、それぞれ「ＨＯＯＫ」及び「ＳＣＲＥＷ」の位置として図示され、また、「ＳＬＩＤＥ」の方向が矢印で示されている。以上のような刻印表示１ｅにより、用紙保温ヒータ１を給紙カセットから取り外す際は、ビス止めを解除して矢印方向にスライドさせればよいことが分かる。なお、この用紙保温ヒータ１は、リユース部品として取り扱われる。
【実施例２】
【００２０】
図２は、本発明が適用される画像形成装置の実施例２に係る部品を示す斜視図である。同図は装置本体内部のモータユニットを示しており、ローラ等の回転駆動用に使用されるものである。同図に示すように、モータユニット２は、例えば亜鉛メッキ鋼板を箱状に折り曲げ形成したブラケット２ａの前面上半部に、モータ２ｂを取り付けた構成となっている。モータ２ｂ端部からは、これに駆動電力を供給するリード線２ｃが延びており、その先端には接続用ソケット２ｄが設けられている。
【００２１】
また、ブラケット２ａ内部には、モータ２ｂの図示しない回転軸及びその先端に設けられたギヤが突出している。ブラケット２ａの上下端部には、先端を側面視略Ｌ字状に折り曲げて形成された取付面２ａａ，２ａｂがそれぞれ設けられている。取付面２ａａには、横長の長孔ａ及び丸孔ｂが左右に開けられている。また取付面２ａｂには、切り起こしにより後方へ突設するフックｃが左右に設けられている。
【００２２】
このモータユニット２は、装置本体内部のシャーシ（不図示）に取り付けられている。具体的には、シャーシに設けられた図示しない係合孔が、ブラケット２ａのフックｃと係合し、更に長孔ａ及び丸孔ｂを通してブラケット２ａひいてはモータユニット２がビス止めされ、シャーシに固定されている。この取付構造が、ブラケット２ａ前面下半部に刻印されており、それぞれ「ＳＬＩＤＥ」の方向及び「ＳＣＲＥＷ」の位置が図示されている。
【００２３】
この場合のスライド方向は、取付時のものを意味している。以上のような刻印表示２ｅにより、モータユニット２をシャーシから取り外す際は、ビス止めを解除して図示と反対方向にスライドさせればよいことが分かる。なお、このモータユニット２は、リユース部品として取り扱われる。
【実施例３】
【００２４】
図３は、本発明が適用される画像形成装置の実施例３に係る部品を示す斜視図である。同図は装置側面の外部コンセント（不図示）に取り付けられるコンセントカバーを示しており、外部コンセントを被覆保護するために使用されるものである。ここでの外部コンセントは、オプション機能としてのプリンタのインターフェース用を想定している。また、同図（ａ）は表面側、同図（ｂ）は裏面側を示している。
【００２５】
同図に示すように、コンセントカバー３は、長板状に成形された樹脂製（例えばＡＢＳ樹脂）のものであり、左右両端付近及び中央付近には、裏面側に突設するフック３ａが設けられている。また、左端付近のフック３ａ寄りには、裏面側に係合爪３ｂが突設しており、表面側に取っ手３ｃが延びている。このコンセントカバー３は、前記外部コンセント表面に取り付けられている。具体的には、外部コンセントに設けられた図示しない係合孔に、それぞれフック３ａが矢印方向にスライド係合され、このとき係合爪３ｂが別の係合孔に係合固定される。
【００２６】
この取付構造が、このコンセントカバー３中央付近のフック３ａと取っ手３ｃの間の表面に刻印されており、「ＰＵＬＬ」されるべき取っ手３ｃの位置が図示されている。また、この部品がリユース部品ではないことも示されている。以上のような刻印表示３ｄにより、コンセントカバー３を外部コンセントから取り外す際は、取っ手３ｃを引っ張ればよいことが分かる。なお、このコンセントカバー３は、リサイクル部品として取り扱われる。
【実施例４】
【００２７】
図４は、本発明が適用される画像形成装置の実施例４に係る部品を示す斜視図である。同図は装置後面の外部コンセント（不図示）に取り付けられるコンセントカバーを示しており、外部コンセントを被覆保護するために使用されるものである。ここでの外部コンセントは、オプション機能としてのファクシミリのインターフェース用を想定している。また、同図（ａ）は表面側、同図（ｂ）は裏面側を示している。
【００２８】
同図に示すように、コンセントカバー４は、長板状に成形された樹脂製（例えばＡＢＳ樹脂）のものであり、左右両端には裏面側に突設する係合爪４ａが設けられている。また、中央付近には上下部に切り欠き４ｂが設けられている。このコンセントカバー４は、前記外部コンセント表面に取り付けられている。具体的には、外部コンセントに設けられた図示しない係合孔に、それぞれ係合爪４ａが係合固定されている。
【００２９】
この取付構造が、このコンセントカバー４の表面に刻印されており、「ＣＵＴ」されるべき位置が図示されている。また、この部品がリユース部品ではないことも示されている。以上のような刻印表示４ｃにより、コンセントカバー４を外部コンセントから取り外す際は、切り欠き４ｂ部分を切断或いは破断すればよいことが分かる。なお、このコンセントカバー４は、リサイクル部品として取り扱われる。
【００３０】
なお、上記各実施例において、図中の刻印表示の文字は英語となっているが、これに限定されるわけでは勿論なく、日本語や輸出先の言語に対応できれば尚良い。また、刻印表示に限定されるわけでもなく、印刷やシール貼付等、他の表示方法を用いても良い。その他、リユース部品ではないことを表示する代わりに、リユース部品かリサイクル部品かを積極的に表示するようにしても良い。さらに、各図より明らかなように、取り付け手段或いは取り外し手段についての情報が表示される箇所は、取付状態においてその部品の最もよく見える面となっている。
【００３１】
以上説明したように、本発明では、装置から取り外す部品各々に、その部品の取り付け手段や取り外し手段を示した情報を、刻印表示されるようにすることにより、取り外すために必要な情報を全てその部品に持たせている。これにより、作業者はその部品を取り外すために、わざわざ手順書を見る必要はなくなり、また作業に熟練する必要もなくなるので、リサイクルの効率が上がる。また特に、リユース部品については、取り外しの際に破壊することがなくなるので、リユースの効率も上がる。
【産業上の利用可能性】
【００３２】
本発明は、複写機に限らず、ファクシミリやプリンタ等、リサイクルが必要とされる画像形成装置全般に適用可能である。また、画像形成装置に限定されるわけでもなく、リサイクルが必要とされる機器全般に適用可能である。
【図面の簡単な説明】
【００３３】
【図１】本発明が適用される画像形成装置の実施例１に係る部品を示す斜視図。
【図２】本発明が適用される画像形成装置の実施例２に係る部品を示す斜視図。
【図３】本発明が適用される画像形成装置の実施例３に係る部品を示す斜視図。
【図４】本発明が適用される画像形成装置の実施例４に係る部品を示す斜視図。
【符号の説明】
【００３４】
１    用紙保温ヒータ
２    モータユニット
３，４    コンセントカバー
【図１】
2005208450.tif 000003
【図２】
2005208450.tif 000004
【図３】
2005208450.tif 000005
【図４】
2005208450.tif 000006